(57)【要約】【課題】  ガス化改質炉と冷却装置とを連接する連結管接続管の閉塞を防止して廃棄物処理設備の稼働率の向上を可能にする廃棄物処理方法の提供【解決手段】  高廃棄物および／または廃棄物の炭化生成物を部分酸化・ガス化、溶融するガス化改質炉と、該ガス化改質炉の発生ガスの冷却装置と、該ガス化改質炉と冷却装置とを連接する連結管とを少なくとも有する廃棄物処理装置を用いた廃棄物処理方法であって、該ガス化改質炉から排出されるスラグ又は該冷却装置で採取される物質の固相温度、軟化温度及び液相温度から選ばれるいずれかを該ガス化改質炉から発生するガス温度又は連結管の内壁温度の制御のための指標として用いる。【選択図】  なし【特許請求の範囲】
【請求項１】
廃棄物および／または廃棄物の炭化生成物を部分酸化・ガス化、溶融するガス化改質炉と、該ガス化改質炉の発生ガスの冷却装置と、該ガス化改質炉と冷却装置とを連接する連結管とを少なくとも有する廃棄物処理装置を用いた廃棄物処理方法であって、該ガス化改質炉から排出されるスラグの固相温度、軟化温度及び液相温度から選ばれるいずれかを制御指標として用いて、該ガス化改質炉から発生するガスの温度又は該連結管の内壁温度を該連結管に付着する付着物の溶融温度以上に制御することを特徴とする廃棄物処理方法。
【請求項２】
廃棄物および／または廃棄物の炭化生成物を部分酸化・ガス化、溶融するガス化改質炉と、該ガス化改質炉の発生ガスの冷却装置と、該ガス化改質炉と冷却装置とを連接する連結管とを少なくとも有する廃棄物処理装置における廃棄物処理方法であって、該冷却装置で採取される物質の固相温度、軟化温度及び液相温度から選ばれるいずれかを制御指標として用いて、該ガス化改質炉から発生するガスの温度又は該連結管の内壁温度を該連結管に付着する付着物の溶融温度以上となるように制御することを特徴とする廃棄物処理方法。
【請求項３】
上記連結管の詰まりを検知した場合に、該冷却装置で採取される物質の固相温度、軟化温度及び液相温度から選ばれるいずれかを制御指標として用いて、該ガス化改質炉から発生するガスの温度又は該連結管の内壁温度を該連結管に付着する付着物の溶融温度以上となるように制御することを特徴とする請求項１又は２に記載の廃棄物処理方法。
【請求項４】
上記連結管の詰まりを連結管の圧力損失および／または連結管炉壁温度で検知することを特徴とする請求項３に記載の廃棄物処理方法。
【請求項５】
該廃棄物処理炉に溶融促進剤を添加することを特徴とする請求項１〜４のいずれかに記載の廃棄物処理方法。
【請求項６】
上記溶融促進剤が石灰石または消石灰であることを特徴とする請求項５に記載の廃棄物処理方法
【請求項７】
上記溶融促進剤の粒子径を以下の式に従うように選択することを特徴とする請求項５又は６に記載の廃棄物処理方法
Ｕｍｆ＜Ｕ１
空塔速度：Ｕ１
流動化開始速度：Ｕｍｆ
【請求項８】
廃棄物および／または廃棄物の炭化生成物を部分酸化・ガス化、溶融するガス化改質炉と、該ガス化改質炉の発生ガスの冷却装置と、該ガス化改質炉と冷却装置とを連接する連結管とを少なくとも有する廃棄物処理装置であって、該ガス化改質炉から排出されるスラグまたは該冷却装置で採取される炉壁付着物の固相温度、軟化温度及び液相温度から選ばれるいずれかを制御指標として用いて、該ガス化改質炉から発生するガスの温度又は該連結管の内壁温度を該連結管に付着する付着物の溶融温度以上に制御する手段を備えたことを特徴とする廃棄物処理装置。
【発明の詳細な説明】
【技術分野】
【０００１】
本発明は、種々の廃棄物をガス化、溶融処理する廃棄物処理方法および廃棄物処理設備に関し、廃棄物処理設備の稼働率を向上することが可能な廃棄物処理方法および廃棄物処理設備に関する。
【背景技術】
【０００２】
現在、廃棄物処理場の不足が顕著化しており、産業廃棄物あるいは一般廃棄物の多くは、発生したままの姿で、あるいは何らかの事前処理の上、焼却処理し減容化した後に、埋立などの最終処分が行われる場合が多い。上記した焼却処理の方法としては様々な方法が挙げられるが、近年、焼却場における発生ガス中のダイオキシン類など有害物質の管理が重要となっており、高温酸化雰囲気で有害物を分解することが可能な処理方法が求められている。
【０００３】
このような高温処理が可能な廃棄物処理方法として、特許文献１〜３に開示された廃棄物処理プロセスが挙げられる。これらのプロセスは、廃棄物を圧縮成形後、乾燥、熱分解、炭化し、生成した炭化生成物を部分酸化・ガス化、溶融して燃料ガスおよびスラグ、金属を得る廃棄物処理プロセスである。
【０００４】
図１に、上記した廃棄物処理プロセスを行う設備を側断面図によって示す。図１において、１は廃棄物を回分的（バッチ的）に加圧、圧縮する圧縮装置、２は圧縮用ピストン、３は圧縮支持盤、４は圧縮された廃棄物（圧縮廃棄物）（以下圧縮成形物とも記す）を乾燥、熱分解、炭化するための乾留・炭化炉である横型のトンネル式加熱炉（以下、トンネル式加熱炉とも記す）、４ａは圧縮成形物の乾燥領域、４ｂは圧縮成形物の熱分解、炭化領域、４ｅはトンネル式加熱炉４の廃棄物の入口、４ｆはトンネル式加熱炉４の炭化生成物の出口（：高温反応塔５の側壁に設けられた炭化生成物入口）を示す。
【０００５】
５は竪型の高温反応塔、６ａ、６ｂはそれぞれトンネル式加熱炉４の側壁内に配設された加熱用高温ガスの流通パイプ、１０ａ、１０ｉは圧縮成形物、１１、１１ｉ、１１ｎは炭化生成物、１２は炭化生成物１１の堆積層（以下、炭化生成物堆積層または堆積層と記す）、１４は溶融物、１４Ｈは溶融物排出口、１５は酸素含有ガス供給管、１５ａは高温反応塔５への酸素含有ガス供給口（以下、高温反応塔酸素含有ガス供給口とも記す）、１６は高温反応塔５の下部側壁に接続された水平型筒状加熱炉である溶融物加熱・保温炉（以下、水平型筒状溶融物加熱・保温炉とも記す）、１６ｅは溶融物加熱・保温炉の入口、１７は溶融物加熱・保温炉の加熱装置であるバーナー、１７ａは溶融物加熱・保温炉１６内に高温燃焼ガスを供給する燃焼ガス供給口を示す。
【０００６】
２０は廃棄物投入口、２１は廃棄物投入口の蓋、３０は高温反応塔５から排出される高温反応塔発生ガス（以下、発生ガスとも記す）の冷却装置（急冷装置）、３０Ｓは発生ガス急冷用の冷却液スプレーノズル、３０Ｗは冷却装置３０の発生ガス流路の壁面（管内壁）、３０Ｄは冷却装置３０の底部、３１はガス精製装置、３２は高温反応塔５の発生ガス排出口、３３は精製ガス、３５は高温反応塔５と冷却装置３０との接続管（以下、高温反応塔−冷却装置接続管または接続管と記す）、３５Ｗは接続管３５の内壁を示す。
【０００７】
ｆ１は圧縮成形物１０ａ、１０ｉの移動方向、ｆ２は炭化生成物１１ｉ、１１ｎの移動方向、ｆ３はトンネル式加熱炉４内で生成した熱分解ガスの流れ方向、ｆ４は高温反応塔５内への酸素含有ガスの吹き込み方向、ｆ５は圧縮用ピストン２の移動方向、ｆ６は圧縮支持盤３の移動方向、ｆ７は廃棄物投入口２０の蓋２１の回転方向を示す。
【０００８】
なお、高温反応塔５と冷却装置３０との接続管（：高温反応塔−冷却装置接続管）３５は、高温反応塔５と冷却装置３０の間に設けられた発生ガス送給用の配管である。
【０００９】
図１に示す廃棄物処理設備における廃棄物の処理方法について説明する。
先ず、廃棄物投入口２０から圧縮装置１内へ所定量供給した廃棄物を、回分的に圧縮装置１を用いて圧縮してち密な圧縮成形物１０ａとする。
【００１０】
次に、この圧縮成形物１０ａを、流通パイプ６ａ、６ｂ内を流通する高温ガスによって加熱された細長いトンネル式加熱炉４内へ押し込む。圧縮成形物１０ａの断面形状は、トンネル式加熱炉４の入口４ｅの内壁断面と同形、同一寸法であり、圧縮成形物１０ａ  はトンネル式加熱炉４の内壁と接触状態を保ったまま押し込めるため、トンネル式加熱炉入口で加熱炉内雰囲気をシールできる。
【００１１】
圧縮成形物１０ｉは、順次新しい成形物が押し込まれる毎に、トンネル式加熱炉４内を滑りながら移動する。トンネル式加熱炉４は前記したように外部から加熱されており、内部は６００℃程度まで昇温され、圧縮成形物１０ｉの移動、昇温過程において、圧縮成形物１０ｉが乾燥、熱分解、炭化する。
【００１２】
炭化生成物１１ｎおよび熱分解、炭化により発生したガスは、高温反応塔５の側壁に設けられた炭化生成物入口４ｆから１０００℃以上に維持された高温反応塔５内へ装入、供給される。炭化生成物１１ｎ  は、高温反応塔５の下部に堆積して炭化生成物堆積層１２を形成し、ガスは、高温反応塔５の上部の１０００℃以上の領域で２秒以上滞留し、一酸化炭素と水素を含む燃料用の合成ガスとして回収できる。
【００１３】
すなわち、高温反応塔５の下部の高温反応塔酸素含有ガス供給口１５ａから堆積層１２中へ供給する酸素含有ガスで、堆積層の可燃物を燃焼（部分酸化・ガス化）させ、そのエネルギーで堆積層中の不燃分（金属、灰分など）を溶融する。燃焼時に発生したガスは、堆積層１２内を通って高温反応塔５を上昇し、この上昇ガスは、高温反応塔５の下部の堆積層内で炭化生成物１１と向流熱交換を行い、炭化生成物１１の顕熱を増加する。
【００１４】
顕熱の大きい炭化生成物１１は、容易に燃焼、溶融する。また、高温反応塔５の下部側壁に接続された溶融物加熱・保温炉１６で溶融物１４をバーナーなどの加熱装置１７で加熱し、溶融物に含まれる微量の炭素などをガス化、除去して溶融物１４は溶融物排出口１４Ｈから溶融スラグ、溶融金属として回収される。
【００１５】
以上、従来の乾留・炭化炉、高温反応塔および溶融物加熱・保温炉を配設した廃棄物処理設備について述べたが、従来の廃棄物処理設備においては、図２に示すように、高温反応塔５と冷却装置３０の間に設けられた発生ガス送給用の高温反応塔−冷却装置接続管（：接続管）３５の内壁３５Ｗに付着物が付着し、接続管の閉塞が生じ、この結果、その都度操業を停止し、接続管３５の内壁３５Ｗの付着物を除去する必要が生じ、廃棄物処理設備の稼働率に制限を受けていた。
【００１６】
上記の接続管の閉塞を防止するための方法が特許文献４に記載されている。
この方法は、廃棄物をガス化、溶融処理する廃棄物処理方法において、高温反応塔−冷却装置接続管の内壁温度を１１９０℃超に保持することによって高温反応塔から発生ガスによって飛来するダストが接続管内壁に付着して固化することを防止するというものである。しかしながら、この方法では、廃棄物の種類に応じた細かい制御ができないという問題があった。
【００１７】
【特許文献１】特開平６−２６６２６号公報
【特許文献２】特開平６−７９２５２号公報
【特許文献３】特開平７−３２３２７０号公報
【特許文献４】特開２００１−２５９６００号公報
【発明の開示】
【発明が解決しようとする課題】
【００１８】
本発明は、前記した従来技術の問題点を解決し、廃棄物をガス化、溶融処理する廃棄物処理方法および廃棄物処理設備において、前記接続管の閉塞を防止して廃棄物処理設備の稼働率の向上を可能にする廃棄物処理方法および廃棄物処理装置を提供することを目的とする。
【課題を解決するための手段】
【００１９】
本発明者らは、前記した従来技術の問題点を解決するために鋭意検討した結果、下記の知見を得て本発明を完成するに至った。
ａ．連結管詰まりの原因となる連結管炉壁付着物と冷却装置壁面付着物とスラグの組成とが大略一致すること。
ｂ．冷却装置壁面付着物及びスラグの物性値（固相温度、軟化温度、液相温度）をガス化改質炉から発生するガスのガス温度の制御指標として用いることにより、連結管詰まりを防止することができること。
【００２０】
すなわち、前記課題を解決するため本発明は次の構成を有している。
（１）廃棄物および／または廃棄物の炭化生成物を部分酸化・ガス化、溶融するガス化改質炉と、該ガス化改質炉の発生ガスの冷却装置と、該ガス化改質炉と冷却装置とを連接する連結管とを少なくとも有する廃棄物処理装置を用いた廃棄物処理方法であって、該ガス化改質炉から排出されるスラグの固相温度、軟化温度及び液相温度から選ばれるいずれかを制御指標として用いて、該ガス化改質炉から発生するガスの温度又は該連結管の内壁温度を該連結管に付着する付着物の溶融温度以上に制御することを特徴とする廃棄物処理方法
（２）廃棄物および／または廃棄物の炭化生成物を部分酸化・ガス化、溶融するガス化改質炉と、該ガス化改質炉の発生ガスの冷却装置と、該ガス化改質炉と冷却装置とを連接する連結管とを少なくとも有する廃棄物処理装置における廃棄物処理方法であって、該冷却装置で採取される物質の固相温度、軟化温度及び液相温度から選ばれるいずれかを制御指標として用いて、該ガス化改質炉から発生するガスの温度又は該連結管の内壁温度を該連結管に付着する付着物の溶融温度以上となるように制御することを特徴とする廃棄物処理方法。
【００２１】
（３）上記連結管の詰まりを検知した場合に、該冷却装置で採取される物質の固相温度、軟化温度及び液相温度から選ばれるいずれかを制御指標として用いて、該ガス化改質炉から発生するガスの温度又は該連結管の内壁温度を該連結管に付着する付着物の溶融温度以上となるように制御することを特徴とする上記（１）又は（２）に記載の廃棄物処理方法。
（４）上記連結管の詰まりを連結管の圧力損失および／または連結管炉壁温度で検知することを特徴とする上記（３）の廃棄物処理方法。
（５）該廃棄物処理炉に溶融促進剤を添加することを特徴とする上記（１）〜（４）の廃棄物処理方法。
【００２２】
（６）上記溶融促進剤が石灰石または消石灰であることを特徴とする上記（５）の廃棄物処理方法
（７）上記溶融促進剤の粒子径を以下の式に従うように選択することを特徴とする上記（５）又は（６）の廃棄物処理方法
Ｕｍｆ＜Ｕ１
空塔速度：Ｕ１
流動化開始速度：Ｕｍｆ
【００２３】
（８）  廃棄物および／または廃棄物の炭化生成物を部分酸化・ガス化、溶融するガス化改質炉と、該ガス化改質炉の発生ガスの冷却装置と、該ガス化改質炉と冷却装置とを連接する連結管とを少なくとも有する廃棄物処理装置であって、該ガス化改質炉から排出されるスラグまたは該冷却装置で採取される炉壁付着物の固相温度、軟化温度及び液相温度から選ばれるいずれかを制御指標として用いて、該ガス化改質炉から発生するガスの温度又は該連結管の内壁温度を該連結管に付着する付着物の溶融温度以上に制御する手段を備えたことを特徴とする廃棄物処理装置。
【発明の効果】
【００２４】
本発明の廃棄物処理方法によれば、ガス化改質炉と冷却装置とを連接する連結管内での付着物による詰まりを防ぐことができ、ガス化改質炉からの回収される燃料ガスのガスカロリーを低下させることがないという効果を奏する。
【発明を実施するための最良の形態】
【００２５】
接続管３５の内壁３５Ｗに付着物が形成される原因は、発生ガスに伴って飛来する溶融状態にあるダストが、接続管３５における温度低下によって、管内壁温度が経時的に低下した時点で管内壁に溶融付着、凝固することにあり、その結果、管内壁に付着物が固着し、接続管３５の閉塞が生じる。
【００２６】
上記の閉塞を避けるために、本発明では、高温反応塔の炉頂温度を制御して連結管を通過するガスの温度又は連結管の内壁温度を制御して、このガスの有する熱又は連結管の内壁の熱によって連結管に付着した付着物を溶融させるか、付着物が形成されないようにする。そして、炉頂温度、すなわちガス改質炉から発生するガスの温度又は連結管の内壁温度を制御するための制御指標として、本発明では、ガス化改質炉から排出されるスラグ又は冷却装置壁面付着物の物性値を用いる。
【００２７】
すなわち、連結管詰まりの原因となる連結管炉壁付着物とスラグ又は冷却装置壁面付着物の組成とは大略一致するので、連結管炉壁付着物又はスラグをサンプルとして採取し、このサンプルの固相温度、軟化温度又は液相温度を制御指標としてガス改質炉から発生するガスの温度又は連結管の内壁温度を制御して、連結管炉壁付着物を溶融させる。
【００２８】
通常のガス化改質炉においては、固相温度、軟化温度及び液相温度には、概略次のような関係が成り立つ。
固相温度＋ｘ℃＝軟化温度＋ｙ℃＝液相温度
実測温度によると、ｘ＝１４８〜１６１℃、ｙ＝１２２〜１４３℃である。
固相温度、軟化温度、液相温度はその物質の組成から推定することが可能である。
【００２９】
ガス改質炉から発生するガスの温度を制御する方法としては、例えば、ガス化改質炉中部に設置された酸素吹込口より酸素を供給し炉内ガスを部分燃焼させて炉頂温度を上げるという方法を採用することができる。
また、連結管の内壁温度を制御する方法としては、図５に示すように連結管に加熱装置を配設して内壁温度を制御するという方法を採用することができる。
【００３０】
また、本発明によって接続管への付着物の固着が防止されることに伴い、冷却装置への溶融物の持ち込み量が増加し、冷却装置のガス流路における付着物の固着量が増加するので、冷却装置のガス流路には付着物掻き取り装置を配設することが好ましい。
【００３１】
具体的には、図３に示すように、冷却装置の発生ガス流路の壁面（管内壁）に付着した付着物を掻き取るための掻き取り装置を配設することができる。
図３は、本発明の廃棄物処理設備の一例を、側断面図によって示したもので、５０は冷却装置３０の発生ガス流路の壁面（管内壁）３０Ｗに付着した付着物を掻き取るための掻き取り装置、５１は掻き取り装置の掻き取り用部材（スクレーパ）、５２は掻き取り用部材５１の移動用シャフト、５３は移動用シャフトの駆動装置、ｆ１０は移動用シャフトの移動方向を示し、その他の符号は図１と同一の内容を示す。
また、図４に、掻き取り装置５０駆動時の状態を、側断面図によって示す。
【００３２】
掻き取り装置５０は、掻き取り用部材（スクレーパ）５１を移動用シャフト５２によって移動方向ｆ１０に移動し、冷却装置３０の発生ガス流路の壁面（管内壁）３０Ｗに付着した付着物を掻き取る。
【００３３】
スクレーパ５１には発生ガスの流れを阻害しないように、開口部を設けることが好ましい。また、スクレーパ５１は、管内壁３０Ｗに付着した付着物を効率よく掻き取るために、図３に示すような上下方向への動きに加え、さらに移動用シャフト５２の軸芯を中心として回動可能とすることが好ましい。上記のようにすることにより、高温反応塔−冷却装置接続管および冷却装置のいずれにおいても、発生ガス流路の壁面への付着物の固着、発生ガス流路の閉塞が防止でき、廃棄物処理設備の稼働率を向上することが可能となる。
【００３４】
上記で掻き取った付着物は、冷却装置３０の底部３０Ｄから排出することが好ましい。また、付着物の排出を容易にするために、冷却液スプレーノズル３０Ｓなどから塩酸などの酸液を噴霧法などによって供給し、付着物を溶解することが好ましい。
【００３５】
また、酸液は、壁面３０Ｗに直接供給してもよい。なお、高温反応塔５の発生ガスと接触した後の水溶液は酸性であるため、水を冷却液スプレーノズル３０Ｓなどから噴霧法などで供給したり、水を壁面３０Ｗに直接供給してもよい。
【００３６】
ガス改質炉から発生するガスの温度は、逐次、スラグ又冷却装置壁面付着物をサンプリングし、その固相温度、軟化温度及び液相温度を指標として制御しても良い。また連結管に付着物が付着すると連結管で圧力損失が生じ、また、連結管の炉壁温度が低下するので、運転中の連結管における圧力損失又は連結管の炉壁温度の低下を検知した時に、スラグ又冷却装置壁面付着物をサンプリングし、その固相温度、軟化温度及び液相温度を指標として制御しても良い。
【００３７】
更に、ガス化改質炉に運転開始時から溶融促進剤を添加することにより、連結管内で付着物が形成された場合でも、その付着物の溶融温度を低いものとすることにより、ガス化改質炉から発生するガスの制御指標温度を低めることができる。また、付着物が形成されてから溶融促進剤を加えることによって既に形成された付着物の組成に変化が生じて付着物が溶融除去される。
【００３８】
溶融促進剤としては、石灰石または消石灰を用いることができ、また、溶融促進剤の粒子径は以下の式に従うように選択することができる。
Ｕｍｆ＜Ｕ１
ここで、Ｕ１：空塔速度
Ｕｍｆ：流動化開始速度
【実施例】
【００３９】
図６に示すガス化改質炉（サーモセレクト）を用いて実施した。
装置の仕様は次の通りであった。
処理量      ：１５０ｔ／日
連結管内径  ：０．６８ｍ
連結管長さ  ：３．０ｍ
冷却装置には冷却装置壁面付着物質を掻き落とすスクレーパーを設置すると共に連結管に温度計を設置した。この温度計が示す温度を炉頂温度と称す。
圧力計はガス化改質炉上部および下部に設置した。
【００４０】
［実施例１］
本実施例（実施例１−１〜１−２０）における、排出スラグ及び冷却塔で採取された物質の固相温度、軟化温度、液相温度の測定結果を表１に示した。
実施例１−１〜１−３ではスラグの固相温度を制御指標とし、この温度から１５℃差し引いた温度を管理基準温度とした。
実施例１−４〜１−７ではスラグの軟化温度を制御指標とし、この温度から５５℃差し引いた温度を管理基準温度とした。
実施例１−８〜１−１０ではスラグの液相温度を制御指標とし、この温度から２４０℃差し引いた温度を管理基準温度とした。
実施例１−１１〜１−１３では冷却塔で採取された物質の固相温度を制御指標とし、この温度に３５℃加えた温度を管理基準温度とした。
実施例１−１４〜１−１７では冷却塔で採取された物質の軟化温度に５℃加えた温度を管理基準温度とした。
実施例の１−１８〜１−２０では冷却塔で採取された物質の液相温度から１１５℃差し引いた温度を管理基準温度とした。
いずれの実施例においても、炉内圧の上昇は観察されなかった。また管理基準温度を低く抑えることができたので、炉内で合成ガスを燃焼する量を小さく抑えることができ、回収される燃料ガスのガスカロリーを高く保つことができた。
【００４１】
［比較例１］
比較例１−１では、炉頂管理温度が１２５０℃になるようにガス化改質炉中部に設置された酸素副込口から酸素を供給し、炉内ガスを部分燃焼させた。
また、比較例１−２では、炉頂管理温度が１２００℃となるように、また、比較例１−３〜１−５では、炉頂管理温度が１１５０℃になるように制御した。
比較例では指標を用いずに炉頂管理温度を設定したため、連結管内に付着物が生成して炉内圧が上昇するか、又はガスカロリーが１７００ｋｃａｌ／ｍ３Ｎ以下となった。
【００４２】
【表１】
2005226027.tif 000002
【００４３】
［実施例２］
本実施例（実施例２−１〜２−３６）では、表２に示すように、ガス化改質炉に溶融促進剤を供給して試験を行った。その際、溶融促進剤の種類、供給位置、粒子径、供給量を変化させて、冷却塔で採集された物質の溶融温度を変えて試験を行った。
すなわち、実施例２−１〜９では溶融促進剤として石灰石を用い廃棄物供給口から供給した。  
実施例２−１０〜２−１８では溶融促進剤として石灰石を用いガス化改質炉中部酸素吹込口から供給した。  
試験の結果を表２に示す。
溶融促進剤を廃棄物供給口から加えるより、ガス化改質炉中部酸素吹込口より加えた方が、連結管部への溶融促進剤の供給が多くなるため少量で大きな効果を得ることができる。
また、実施例２−１０〜１２では０．０〜１０．０ｍｍの溶融促進剤を供給し、実施例２−１３〜１５では０．０〜１．０ｍｍの溶融促進剤を供給し、実施例２−１６〜１８では０．０〜０．５ｍｍの溶融促進剤を供給した。
この結果、溶融促進剤をガス化改質炉中部酸素吹込口より加える場合、溶融促進剤の粒径は細かい方が、連結管部への溶融促進剤の供給が多くなるため少量で大きな効果を得ることができる。  
また、溶融促進剤の供給位置をガス化改質炉中部の酸素吹込口にすることにより、石灰石の添加量を削減することができることがわかった。
更に、ガス化改質炉中部の酸素吹込口から石灰石を吹き込むにあたり、粒子径を小さく抑えることによって添加量を削減することができることが分かった。
また溶融促進剤として消石灰を用いても同様の効果が得られる。
【００４４】
【表２】
2005226027.tif 000003
【００４５】
［比較例２］
消石灰・石灰石を入れないで試験を行ったところ、冷却塔で採取された物質の軟化温度は高くなり、炉頂管理温度を高くする必要があることがわかった。
【００４６】
［実施例３］
（実施例３−１）
制御指標としては炉から排出されるスラグの液相温度（＝１４１０℃）を用い、炉から排出されるスラグの液相温度から２４０℃引いた温度を炉頂温度の管理温度として操業した。ガス化改質炉の炉内圧を観察し、連結管閉塞状況を監視し、炉内圧が５０ｍｂａｒ上昇した時に炉頂温度の管理温度を１００℃上げるように制御した。
なお、炉頂温度の上昇は、ガス化改質炉中部に設置された酸素吹込口より酸素を供給し炉内ガスを部分燃焼させることにより行った。
上記の温度制御により連結管付着物が溶融し、炉内圧が元に戻った。
【００４７】
（実施例３−２）
連結管部分の上部壁に２本以上の炉頂温度測定用の温度計を設置した。温度計(2)は付着物の形成しやすい上流側に、また、温度計(2)は付着物が形成されにくい下流側に設けた。この温度計の温度変化の様子を図７（ａ）に示した。図７（ａ）に示すように付着物が温度計に付着するとその温度計の表示温度が急速に低下することから、連結管部分の閉塞を検知することができる。
図７（ｂ）は温度計の温度低下を検知して炉頂温度を１００℃上げるように制御した結果、付着物が溶融除去されて、炉頂温度計の示す温度が炉頂温度まで回復した様子を示す。
【００４８】
［比較例２］
ガス化改質炉の炉内圧が上昇しても特に手段を講じなかったところ、炉内圧が設定圧３００ｍｂａｒ以上になり安全装置が働いて停止した。
【産業上の利用可能性】
【００４９】
本発明によれば、ガス改質炉を用いて廃棄物から燃料ガスを連続的かつ安定的に回収することができる。
【図面の簡単な説明】
【００５０】
【図１】廃棄物処理設備の一例を示す概略図である。
【図２】廃棄物処理設備の連結管部分の様子を示す図である。
【図３】本発明の廃棄物処理設備の一例を示す概略図である。
【図４】本発明の廃棄物処理設備の一例を示す概略図である。
【図５】本発明の廃棄物処理設備の一例を示す概略図である。
【図６】本発明の実施例で用いたガス化改質炉の概略図である。
【図７】連結管部分に設けた温度計の温度変化を示す図である。
【符号の説明】
【００５１】
１  圧縮装置
２  圧縮用ピストン
３  圧縮支持盤
４  乾留・炭化炉（水平型トンネル式加熱炉、トンネル式加熱炉）
４ａ  圧縮成形物の乾燥領域
４ｂ  圧縮成形物の熱分解、炭化領域
４ｅ  乾留・炭化炉（トンネル式加熱炉）の廃棄物の入口（圧縮成形物の入口）
４ｆ  乾留・炭化炉（トンネル式加熱炉）の炭化生成物の出口
５  高温反応塔
６ａ、６ｂ  加熱用高温ガスの流通パイプ
１０ａ  、１０ｉ  圧縮成形物
１１、１１ｉ  、１１ｎ  炭化生成物
１２  炭化生成物堆積層
１４  溶融物
１４Ｈ  溶融物排出口
１５  高温反応塔酸素含有ガス供給管
１５ａ  高温反応塔酸素含有ガス供給口
１６  溶融物加熱・保温炉（水平型筒状溶融物加熱・保温炉）
１６ｅ  溶融物加熱・保温炉の入口（溶融物の入口）
１７  燃焼ガス供給装置（バーナ）
１７ａ  燃焼ガス供給口
２０  廃棄物投入口
２１  廃棄物投入口の蓋
３０  高温反応塔発生ガスの冷却装置（急冷装置）
３０Ｄ  冷却装置の底部
３０Ｓ  発生ガス冷却用（急冷用）の冷却液スプレーノズル
３０Ｗ  冷却装置の発生ガス流路の壁面
３１  ガス精製装置
３２  高温反応塔の発生ガス排出口
３３  精製ガス
３５  高温反応塔−冷却装置接続管（連結管）
３５Ｗ  高温反応塔−冷却装置接続管（連結管）の内壁
３６  付着物
４０  高温反応塔−冷却装置接続管（連結管）の加熱装置
５０  掻き取り装置
５１  掻き取り装置の掻き取り用部材（スクレーパ）
５２  掻き取り用部材の移動用シャフト
５３  移動用シャフトの駆動装置
ｆ１  圧縮成形物の移動方向
ｆ２  炭化生成物の移動方向
ｆ３  トンネル式加熱炉内で生成した熱分解ガスの流れ方向
ｆ４  高温反応塔内への酸素含有ガスの吹き込み方向
ｆ５  圧縮用ピストンの移動方向
ｆ６  圧縮支持盤の移動方向
ｆ７  廃棄物投入口の蓋の回転方向
ｆ１０  移動用シャフトの移動方向
【図１】
2005226027.tif 000004
【図２】
2005226027.tif 000005
【図３】
2005226027.tif 000006
【図４】
2005226027.tif 000007
【図５】
2005226027.tif 000008
【図６】
2005226027.tif 000009
【図７】
2005226027.tif 000010